(57)【特許請求の範囲】
【請求項１】
映像を再生する再生装置と、前記再生装置で再生された映像を表示する表示装置とを含む再生システムにおける前記再生装置による再生制御方法であって、
前記表示装置が前記映像の再生におけるオプション機能に対応しているか否かを第１手法により確認する第１確認ステップと、
前記第１手法により、前記表示装置が前記オプション機能に対応しているか否かを確認できなかった場合、前記表示装置が前記オプション機能に対応しているか否かを、前記第１手法とは異なる第２手法により確認する第２確認ステップとを含む
再生制御方法。
【請求項２】
前記第１手法では、前記表示装置に保持されている情報に基づき、前記表示装置が前記オプション機能に対応しているか否かを確認し、
前記第２手法では、前記表示装置が前記オプション機能に対応しているか否かをユーザに確認するための情報を出力する
請求項１記載の再生制御方法。
【請求項３】
前記第２手法では、前記表示装置が前記オプション機能に対応しているか否かを前記ユーザが確認するためのテストコンテンツを再生する
請求項２記載の再生制御方法。
【請求項４】
前記第１手法では、前記表示装置に保持されている情報に基づき、前記表示装置が前記オプション機能に対応しているか否かを確認し、
前記第２手法では、前記再生装置にネットワークを介して接続されているサーバに保持されている情報に基づき、前記表示装置が前記オプション機能に対応しているか否かを確認する
請求項１記載の再生制御方法。
【請求項５】
映像を再生する再生装置であって、
前記再生装置で再生された映像を表示する表示装置が前記映像の再生におけるオプション機能に対応しているか否かを第１手法により確認する第１確認部と、
前記第１手法により、前記表示装置が前記オプション機能に対応しているか否かが確認できなかった場合、前記表示装置が前記オプション機能に対応しているか否かを、前記第１手法とは異なる第２手法により確認する第２確認部とを備える
再生装置。
【請求項６】
映像を再生する再生装置と、前記再生装置で再生された映像を表示する表示装置とを含む再生システムであって、
前記再生装置は、
前記表示装置が前記映像の再生におけるオプション機能に対応しているか否かを第１手法により確認する第１確認部と、
前記第１手法により前記表示装置が前記オプション機能に対応しているか否かが確認できなかった場合、前記表示装置が前記オプション機能に対応しているか否かを、前記第１手法とは異なる第２手法により確認する第２確認部とを備える
再生システム。
【発明の詳細な説明】
【技術分野】
【０００１】
本開示は、再生制御方法、再生装置及び再生システムに関し、特に、映像を再生する再生装置と、再生装置で再生された映像を表示する表示装置とを含む再生システムにおける再生制御方法に関する。
【背景技術】
【０００２】
ＢＤプレーヤなどの再生装置と、テレビなどの表示装置とを含む再生システムにおいて、各装置が対応している機能を、ＨＤＭＩ（登録商標）を介して取得する方法が知られている（例えば、特許文献１参照）。
【先行技術文献】
【特許文献】
【０００３】
【特許文献１】特許第５２７１５３２号公報
【発明の概要】
【発明が解決しようとする課題】
【０００４】
しかしながら、規格で定められているマンダトリ機能等に関しては、ＨＤＭＩ（登録商標）等を介して各装置が当該機能に対応しているかを取得可能であるが、オプション機能等に関しては取得できない場合がある。これにより、ユーザの意図に反した映像が再生される可能性がある。
【０００５】
そこで、本開示は、再生システムがオプション機能等に対応しているかをより正確に確認できる再生制御方法、再生装置又は再生システムを提供することを目的とする。
【課題を解決するための手段】
【０００６】
上記目的を達成するために、本開示の一態様に係る再生制御方法は、映像を再生する再生装置と、前記再生装置で再生された映像を表示する表示装置とを含む再生システムにおける前記再生装置による再生制御方法であって、前記表示装置が前記映像の再生におけるオプション機能に対応しているか否かを第１手法により確認する第１確認ステップと、前記第１手法により、前記表示装置が前記オプション機能に対応しているか否かを確認できなかった場合、前記表示装置が前記オプション機能に対応しているか否かを、前記第１手法とは異なる第２手法により確認する第２確認ステップとを含む。
【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００８】
本開示は、再生システムがオプション機能等に対応しているかをより正確に確認できる再生制御方法、再生装置又は再生システムを提供できる。
【図面の簡単な説明】
【０００９】
【図１】実施の形態１に係る再生システムを示す図である。
【図２】実施の形態１に係る通常機能の再生時のフローチャートである。
【図３】実施の形態１に係るオプション機能の再生時のフローチャートである。
【図４】実施の形態１に係るサーバ問い合わせ処理のシーケンス図である。
【図５】実施の形態１に係るサーバ問い合わせ処理のフローチャートである。
【図６】実施の形態１に係る機能情報の一例を示す図である。
【図７】実施の形態１に係るサーバ問い合わせ処理の変形例のシーケンス図である。
【図８】実施の形態１に係るサーバ問い合わせ処理の変形例のフローチャートである。
【図９】実施の形態１に係る機能情報の変形例の一例を示す図である。
【図１０】実施の形態１に係るサーバ問い合わせ処理の変形例のシーケンス図である。
【図１１】実施の形態１に係るサーバ問い合わせ処理の変形例のフローチャートである。
【図１２】実施の形態２に係るオプション機能の再生時のフローチャートである。
【図１３】実施の形態２に係るユーザへの確認画面の一例を示す図である。
【図１４】実施の形態２に係るユーザへの確認画面の変形例の一例を示す図である。
【図１５】実施の形態２に係るユーザへの確認画面の変形例の一例を示す図である。
【図１６】実施の形態に係る処理のフローチャートである。
【発明を実施するための形態】
【００１０】
（本開示の基礎となった知見）
本発明者は、「背景技術」の欄において記載した、再生制御方法に関し、以下の問題が生じることを見出した。
【００１１】
規格で定められているマンダトリ機能等に関しては、ＨＤＭＩ（登録商標）等を介して各装置（プレーヤ、ディスプレイ及びＡＶアンプ等）が当該機能に対応しているかを取得可能であるが、オプション機能等に関しては取得できない場合がある。
【００１２】
また、これらの複数の装置を含む再生システムにおいて、ユーザがオプション機能を実行可能かを判断するためには、各装置の機能のみならず、各装置の設定、及び接続関係を理解している必要がある。このような各種設定をマニュアル等からユーザが正しく理解することは困難である。
【００１３】
さらに、これらの設定が正しく行われていない場合であっても、映像の再生自体は行われる場合がある。つまり、システムがオプション機能に対応していない場合に、当該オプション機能を用いない通常の映像が再生されることがある。このような場合には、ユーザは、現在表示されている映像が、オプション機能が反映された映像であるか、そうでない映像であるかを容易に判断できないため、オプション機能が反映された映像であると誤って認識してしまう可能性がある。これにより、ユーザは、当該オプション機能を過小評価してしまう可能性がある。
【００１４】
例えば、以下のような場合に、オプション機能の再生に問題が発生する可能性がある。
【００１５】
（１）再生装置（プレーヤ又はレコーダ）がオプション機能に対応した映像（又は音声）データの出力は可能であるが、オプション機能に対応した映像データを出力していることを確認する機能がない場合。例えば、オプション機能がマンダトリ機能の一部の拡張となっている場合である。
【００１６】
（２）表示装置（ＴＶ又はディスプレイ）がオプション機能に対応した映像データを受け取れるが、オプション機能に対応した映像データを受け取っていることが認識できない場合。例えば、表示装置は、オプション機能に対応しており、ＨＤＭＩ（登録商標）などの外部からの入力Ｉ／Ｆで、データを受け取れるが、オプション機能が定義されていないために、オプション機能に対応したデータが入力されていることを認識できない場合である。
【００１７】
（３）再生装置の出力データをＡＶアンプ又はセレクタなどの機器で経由する場合において、そのような経由機器が、オプション機能を示すフラグに対応していない場合。
【００１８】
（４）再生装置の設定により、オプション機能に対応したデータが、別のフォーマットのデータに変換されてしまう場合。特にオプション機能との関連が不明確な場合、ユーザとして、何が起きているか認識することが困難となる。例えば、データがマンダトリ機能の一つに変換されてしまう場合、３Ｄ映像が２Ｄ映像に変換されてしまう場合、又は、サラウンド音声がステレオ音声に変換されてしまう場合である。
【００１９】
そこで、本開示は、再生システムがオプション機能等に対応しているかをより正確に確認できる再生制御方法、再生装置又は再生システムについて説明する。
【００２０】
本開示の一態様に係る再生制御方法は、映像を再生する再生装置と、前記再生装置で再生された映像を表示する表示装置とを含む再生システムにおける前記再生装置による再生制御方法であって、前記表示装置が前記映像の再生におけるオプション機能に対応しているか否かを第１手法により確認する第１確認ステップと、前記第１手法により、前記表示装置が前記オプション機能に対応しているか否かを確認できなかった場合、前記表示装置が前記オプション機能に対応しているか否かを、前記第１手法とは異なる第２手法により確認する第２確認ステップとを含む。
【００２１】
これによれば、当該再生制御方法は、第１手法により、各装置がオプション機能に対応しているかを確認できなかった場合、各装置がオプション機能に対応しているかを第２手法により確認する。これにより、再生システムがオプション機能等に対応しているかをより正確に確認できる。
【００２２】
例えば、前記第１手法では、前記表示装置に保持されている情報に基づき、前記表示装置が前記オプション機能に対応しているか否かを確認し、前記第２手法では、前記表示装置が前記オプション機能に対応しているか否かをユーザに確認するための情報を出力してもよい。
【００２３】
これによれば、当該再生制御方法は、第１手法により、各装置がオプション機能に対応しているかを確認できなかった場合、各装置がオプション機能に対応しているかをユーザに確認する。これにより、再生システムがオプション機能等に対応しているかをより正確に確認できる。
【００２４】
例えば、前記第２手法では、前記表示装置が前記オプション機能に対応しているか否かを前記ユーザが確認するためのテストコンテンツを再生してもよい。
【００２５】
これによれば、テストコンテンツを用いることで、機器設定等に不慣れなユーザでも容易にオプション機能が実行できるかを確認できる。よって、再生システムがオプション機能等に対応しているかをより正確に確認できる。
【００２６】
例えば、前記第１手法では、前記表示装置に保持されている情報に基づき、前記表示装置が前記オプション機能に対応しているか否かを確認し、前記第２手法では、前記再生装置にネットワークを介して接続されているサーバに保持されている情報に基づき、前記表示装置が前記オプション機能に対応しているか否かを確認してもよい。
【００２７】
これによれば、当該再生制御方法は、第１手法により、各装置がオプション機能に対応しているかを確認できなかった場合、各装置がオプション機能に対応しているかをサーバに確認する。これにより、再生システムがオプション機能等に対応しているかをより正確に確認できる。
【００２８】
また、本開示の一態様に係る再生装置は、映像を再生する再生装置であって、前記再生装置で再生された映像を表示する表示装置が前記映像の再生におけるオプション機能に対応しているか否かを第１手法により確認する第１確認部と、前記第１手法により、前記表示装置が前記オプション機能に対応しているか否かが確認できなかった場合、前記表示装置が前記オプション機能に対応しているか否かを、前記第１手法とは異なる第２手法により確認する第２確認部とを備える。
【００２９】
これによれば、当該再生装置は、第１手法により、各装置がオプション機能に対応しているかを確認できなかった場合、各装置がオプション機能に対応しているかを第２手法により確認する。これにより、再生システムがオプション機能等に対応しているかをより正確に確認できる。
【００３０】
例えば、本開示の一態様に係る再生システムは、映像を再生する再生装置と、前記再生装置で再生された映像を表示する表示装置とを含む再生システムであって、前記再生装置は、前記表示装置が前記映像の再生におけるオプション機能に対応しているか否かを第１手法により確認する第１確認部と、前記第１手法により前記表示装置が前記オプション機能に対応しているか否かが確認できなかった場合、前記表示装置が前記オプション機能に対応しているか否かを、前記第１手法とは異なる第２手法により確認する第２確認部とを備える。
【００３１】
これによれば、当該再生システムは、第１手法により、各装置がオプション機能に対応しているかを確認できなかった場合、各装置がオプション機能に対応しているかを第２手法により確認する。これにより、再生システムがオプション機能等に対応しているかをより正確に確認できる。
【００３２】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【００３３】
以下、図面を参照しながら、本開示の実施の形態について説明する。なお、以下で説明する実施の形態は、いずれも本開示の好ましい一具体例を示す。つまり、以下の実施の形態で示される数値、形状、材料、構成要素、構成要素の配置及び接続形態、ステップ、ステップの順序などは、本開示の一例であり、本開示を限定する主旨ではない。本開示は、請求の範囲の記載に基づいて特定される。従って、以下の実施の形態における構成要素のうち、本開示の最上位概念を示す独立請求項に記載されていない構成要素は、本開示の課題を達成するために必ずしも必要ではないが、より好ましい形態を構成する構成要素として説明される。
【００３４】
（実施の形態１）
本実施の形態に係る再生システムでは、再生装置は、ＨＤＭＩ（登録商標）等を介して各装置がオプション機能に対応しているかを判定できない場合には、ネットワークを介してサーバに問い合わせを行う。これにより、再生システムがオプション機能等に対応しているかをより正確に確認できる。
【００３５】
まず、本実施の形態に係る再生システムの構成を説明する。図１は、本実施の形態に係る再生システム１００の構成を示す図である。この再生システム１００は、再生装置１０１と、音響装置１０２と、表示装置１０３と、サーバ１０７とを含む。
【００３６】
再生装置１０１、音響装置１０２及び表示装置１０３は、例えば、ある家庭内に設置されている機器である。また、音響装置１０２及び表示装置１０３は、ＨＤＭＩ（登録商標）ケーブル１０４及び１０５を介して再生装置１０１と接続されている。なお、ここでは、音響装置１０２を介して表示装置１０３と再生装置１０１とが接続されているが、表示装置１０３と再生装置１０１とが直接接続されていてもよい。また、音響装置１０２は必ずしも再生システム１００に含まれなくてもよいし、他の機器が再生システム１００に含まれてもよい。また、各装置の接続はＨＤＭＩ（登録商標）ケーブルを介した接続に限らず、他の装置の機能を確認できるインターフェースであればよい。
【００３７】
再生装置１０１は、例えば、ＢＤプレーヤ又はＢＤレコーダ等であり、記録媒体（例えば、ＢＤ）に格納されている映像、自身が格納している映像、又は、放送は又はネットワーク等を介して取得した映像を再生する。
【００３８】
音響装置１０２は、例えば、ＡＶアンプであり、再生装置１０１から出力される音声を出力する。表示装置１０３は、例えば、テレビ又はディスプレイであり、再生装置１０１で再生された映像を表示する。
【００３９】
サーバ１０７は、ネットワーク１０６を介して、再生装置１０１と接続されている。なお、典型的にはサーバ１０７は、インターネット等を介して接続された宅外サーバであるが、宅内サーバであってもよい。
【００４０】
再生装置１０１は、第１確認部１１１と、第２確認部１１２と、再生部１１３と、制御部１１４と、通信部１１５とを備える。
【００４１】
第１確認部１１１は、各装置（再生装置１０１、音響装置１０２及び表示装置１０３）が映像の再生におけるオプション機能に対応しているかを第１手法により確認する。
【００４２】
第２確認部１１２は、上記第１手法により、各装置がオプション機能に対応しているかを確認できなかった場合、各装置又は再生システム１００がオプション機能に対応しているかを、第１手法とは異なる第２手法により確認する。
【００４３】
再生部１１３は、映像を再生する。通信部１１５は、ネットワーク１０６を介したサーバ１０７との通信を行う。制御部１１４は、再生部１１３及び通信部１１５の制御等を行う。
【００４４】
以下、再生システム１００の動作を説明する。まず、通常機能が使用される場合の再生システム１００の動作を説明する。図２は、通常機能が使用される場合の再生システム１００の動作を示すフローチャートである。
【００４５】
ここで通常機能とは、映像規格等で定義されているマンダトリ機能等であり、例えば、ＨＤＭＩ（登録商標）を介して、各機器が当該機能に対応しているかを取得可能な機能である。
【００４６】
まず、ユーザによりＢＤディスク等が再生装置１０１に挿入される（Ｓ１０１）。次に、再生装置１０１は、通常の再生準備を行う（Ｓ１０２）。次に、再生装置１０１は、メニュー画面を表示し、ユーザの機能選択の操作を受け付ける（Ｓ１０３）。
【００４７】
次に、再生装置１０１は、再生システム１００が、選択された機能を実行可能かを確認する（Ｓ１０４）。具体的には、第１確認部１１１は、当該再生装置１０１に保持されている情報に基づき、当該再生装置１０１が当該機能に対応しているかを確認する。より具体的には、第１確認部１１１は、当該機能に対応するケーパビリティ（Ｃａｐａｂｉｌｉｔｙ）ビットが定義されている場合には、当該再生装置１０１が保持する当該ビットを参照することで、当該再生装置１０１が当該機能を実行可能かを確認する。または、第１確認部１１１は、当該再生装置１０１が保持する複数のケーパビリティビットの組み合わせの確認することで、当該再生装置１０１が当該機能を実行可能かを確認する。または、第１確認部１１１は、当該機能の設定が、当該再生装置１０１で使用できない設定でないことの確認することで、当該再生装置１０１が当該機能を実行可能かを確認する。
【００４８】
また、第１確認部１１１は、ＨＤＭＩ（登録商標）等を介して、音響装置１０２及び表示装置１０３に保持されている情報に基づき、音響装置１０２及び表示装置１０３が当該機能に対応しているかを確認する。具体的には、第１確認部１１１は、各装置のＨＤＭＩ（登録商標）のケーパビリティフラグを確認することで、各装置が当該機能に対応しているかを確認する。
【００４９】
再生装置１０１は、全ての装置が当該機能に対応している場合には、当該機能を実行可能と判断し（Ｓ１０５でＹｅｓ）、当該機能を実行する（Ｓ１０６）。一方、再生装置１０１は、いずれかの装置が当該機能に対応していない場合には、当該機能を実行不可能と判断し（Ｓ１０５でＮｏ）、ステップＳ１０３に戻る。
【００５０】
なお、ここでは、選択機能を実行不可能の場合（Ｓ１０５でＮｏ）、ステップＳ１０３に戻っているが、再生を停止（終了）してもよい。また、ステップＳ１０６の後、処理を終了するのではなく、ステップＳ１０３に戻ってもよい。
【００５１】
次に、オプション機能が使用される場合の再生システム１００の動作を説明する。図３は、オプション機能が使用される場合の再生システム１００の動作を示すフローチャートである。
【００５２】
ここでオプション機能とは、映像規格等において必ずしも定義されている機能ではない拡張機能であり、例えば、ＨＤＭＩ（登録商標）を介して、各機器が当該機能に対応しているかを取得不可能な場合がある機能である。具体的には、オプション機能とは、例えば、映像機能における、３Ｄ映像の表示機能、又はＨＤＲ（ハイダイナミックレンジ映像）機能である。
【００５３】
また、オプション機能とは、オーディオコーデックの拡張機能であり、例えば、チャンネルの拡張（２チャンネルからサラウンドへの拡張、又は５．１ｃｈから６．１ｃｈ或いは７．１ｃｈへの拡張）、サンプリング周波数又は量子化ビット数の拡張（４８ＫＨｚ、１６ビットから、９６ｋＨｚ或いは１９２ＫＨｚ、又は２０ビット或いは２４ビットへの拡張）、新しい方式（例えばオブジェクトコーディング）、又は、新しいコーデック（例えばロスレス）である。
【００５４】
まず、ユーザによりＢＤディスク等が再生装置１０１に挿入される（Ｓ１１１）。次に、再生装置１０１は、通常の再生準備を行う（Ｓ１１２）。次に、再生装置１０１は、メニュー画面を表示し、ユーザの機能選択の操作を受け付ける（Ｓ１１３）。
【００５５】
次に、再生装置１０１は、再生システム１００が、選択された機能を実行可能かを確認する（Ｓ１１４）。なお、この処理の詳細は、上述したステップＳ１０４と同様である。
【００５６】
次に、再生装置１０１は、ステップＳ１１４において、選択機能を実行可能かを確認できたかを判定する（Ｓ１１５）。
【００５７】
選択機能を実行可能かを確認できた場合（Ｓ１１５でＹｅｓ）、図２に示す処理と同様の処理を行う。つまり、再生装置１０１は、全ての装置が当該機能に対応している場合には、当該機能を実行可能と判断し（Ｓ１１６でＹｅｓ）、当該機能を実行する（Ｓ１１７）。一方、再生装置１０１は、いずれかの装置が当該機能に対応していない場合には、当該機能を実行不可能と判断し（Ｓ１１６でＮｏ）、ステップＳ１１３に戻る。
【００５８】
一方、選択機能を実行可能かを確認できなかった場合（Ｓ１１５でＮｏ）、第２確認部１１２は、ネットワーク１０６を介してサーバ１０７に問い合わせを行うことで、再生システム１００が選択機能を実行可能かを確認する（Ｓ１１８）。
【００５９】
なお、再生システム１００内に複数の装置が存在する場合には、少なくとも一部の装置が選択機能に対応しているかが確認できなかった場合に、ステップＳ１１８が実行される。または、選択機能に対応しているかが確認できなかった装置が存在し、かつ、残りの装置の全てが選択機能に対応している場合に、ステップＳ１１８が実行されてもよい。
【００６０】
次に、再生装置１０１は、ステップＳ１１８において選択機能を実行可能と確認した場合には（Ｓ１１９でＹｅｓ）、当該選択機能を実行する（Ｓ１１７）。一方、再生装置１０１は、選択ステップＳ１１８において選択機能を実行不可能と確認した場合には（Ｓ１１９でＮｏ）、ステップＳ１１３に戻る。
【００６１】
また、ここでは、通常機能が選択される場合とオプション機能が選択される場合とを別々のフローで説明したが、通常機能の選択又はオプション機能の選択に係らず、図３に示す処理が行われてもよい。なお、通常機能が選択されている場合には、ステップＳ１１５でＹｅｓとなるため、図２の処理と同様になる。
【００６２】
以下、サーバ１０７に問い合わせを行うことで選択機能を実行可能かを確認する方法（Ｓ１１８）の詳細を説明する。
【００６３】
図４は、サーバ１０７を用いた確認方法の流れを示す図である。まず、再生装置１０１は、ステップＳ１１４で選択機能に対応しているかを確認できなかった機器の品番と、選択機能の機能コードとをサーバ１０７に送信する（Ｓ１２１）。なお、ここでは品番及び機能コードが用いられる例を述べるが、機器の品種（種別）を特定できる情報、及び選択機能を特定できる情報であれば他の情報が用いられてもよい。
【００６４】
サーバ１０７は、品番で示される機器が、機能コードで示される機能に対応しているかを判定し（Ｓ１２２）、判定結果を再生装置１０１へ送信する（Ｓ１２３）。
【００６５】
なお、ステップＳ１１４で選択機能に対応しているかを確認できなかった機器が複数存在する場合には、機器毎に上記処理が行われてもよいし、複数の機器の情報がまとめてサーバ１０７に送信されてもよい。
【００６６】
図５は、上記処理におけるサーバ１０７の処理を示すフローチャートである。また、図６は、サーバ１０７に保持されている機能情報１２１の一例を示す図である。
【００６７】
図６に示すように、機能情報１２１は、機器の製造メーカー及び品番毎に、対応している機能を示す。また、図６に示す機能情報１２１は、メーカーが作成した情報、又はユーザが作成した情報に基づき生成される。また、メーカーが作成した情報に基づく情報、又はユーザが作成した情報に基づく情報であって、メーカーへの確認が行われた後の情報に対しては、「確認」の欄がＯＮに設定される。つまり、「確認」の欄がＯＮに設定されている情報は、「確認」の欄がＯＦＦに設定されている情報よりも信頼性が高いことを意味する。
【００６８】
また、各品番の機器の対応機能の詳細を示す別テーブルが存在し、当該テーブルに詳細機能が記載されていてもよい。例えば、当該テーブルには、各機能が、規格書のどこに記載されている機能なのか、又は、その機能をライセンスしている会社のライセンス名等が記載されている。具体的な記載については、データベースの管理会社、メーカー、又はライセンス会社が決める必要がある。
【００６９】
また、一度登録した機能を変更することは、互換性の点から困難であるため、機能アップなどの場合には、別エントリーが設けられる。例えば、機能Ａが機能Ａ’にアップデートされた場合、機能Ａ’に対応している機器又はシステムに対して、機能Ａと機能Ａ’との両方に対応しているという情報が格納される。
【００７０】
まず、サーバ１０７は、再生装置１０１から機器の品番（メーカ−を示す情報を含む）を受信する（Ｓ１３１）。次に、サーバ１０７は、受信した品番がデータベース（機能情報１２１）に存在するかを判定する（Ｓ１３２）。
【００７１】
受信した品番がデータベースに存在する場合（Ｓ１３２でＹｅｓ）、サーバ１０７は、再生装置１０１に機能コードの送信を要求し（Ｓ１３３）、再生装置１０１から機能コードを受信する（Ｓ１３４）。次に、サーバ１０７は、受信した機能コードに対応する機能がデータベース（機能情報１２１）に存在するかを判定する（Ｓ１３５）。
【００７２】
受信した機能コードに対応する機能がデータベースに存在する場合（Ｓ１３５でＹｅｓ）、サーバ１０７は、機能情報１２１を参照し、受信した品番の機器が受信した機能コードに対応するかを判定し（Ｓ１３６）、判定結果を再生装置１０１へ送信する（Ｓ１３７）。
【００７３】
一方、受信した品番又は機能コードがデータベースに存在しない場合（Ｓ１３２でＮｏ、又はＳ１３５でＮｏ）、サーバ１０７は、判定が行えなかった旨を再生装置１０１へ送信する（Ｓ１３８）。
【００７４】
なお、上記の判定には、「確認」の欄がＯＮの情報のみが用いられてもよいし、ＯＮ及びＯＦＦの両方の情報が用いられてもよい。また、ＯＮ及びＯＦＦの情報が用いられる場合には、判定にＯＦＦの情報が用いられている旨、又は信頼性が低い可能性がある旨等がユーザに通知されてもよい。
【００７５】
これにより、ユーザは、確認マークがＯＮであれば、確実に信じることができることを認識できる。また、再生装置１０１及びサーバ１０７は、確認マークがＯＮでない情報も参照することができるので、新製品又は古い商品で、メーカーの登録が間に合わなかった場合でも情報を参照できる。
【００７６】
以上により、再生装置１０１は、各機器が選択機能に対応しているかを示す情報をサーバ１０７から取得できる。
【００７７】
なお、上記処理の代わりに以下の処理が行われてもよい。図７は、サーバ１０７を用いた確認方法の変形例の流れを示す図である。図８は、この場合のサーバ１０７の処理のフローチャートである。
【００７８】
この例では、まず、再生装置１０１は、機器の品番をサーバ１０７に送信する（Ｓ１４１）。サーバ１０７は、品番で示される機器が対応している機能を確認し（Ｓ１４２）、当該機器が対応している機能の一覧である機能リストを再生装置１０１へ送信する（Ｓ１４３）。再生装置１０１は、受信した機能リストを用いて、機器が選択機能に対応しているかを確認する（Ｓ１４４）。
【００７９】
また、図８に示すように、サーバ１０７は、再生装置１０１から機器の品番（メーカ−を示す情報を含む）を受信する（Ｓ１５１）。次に、サーバ１０７は、受信した品番がデータベース（機能情報１２１）に存在するかを判定する（Ｓ１５２）。
【００８０】
受信した品番がデータベースに存在する場合（Ｓ１５２でＹｅｓ）、サーバ１０７は、機能情報１２１を参照し、受信した品番の機器が対応する全ての機能を示す機能リストを再生装置１０１へ送信する（Ｓ１５３）。なお、機能リストは、機能情報１２１の含まれる全ての機能に対して機器が各機能に対応しているか否かを示す情報であってもよい。
【００８１】
一方、受信した品番がデータベースに存在しない場合（Ｓ１５２でＮｏ）、サーバ１０７は、判定が行えなかった旨を再生装置１０１へ送信する（Ｓ１５４）。
【００８２】
また、ユーザの所有する再生システムが各機能を実行可能であるかがサーバ１０７に予め登録されていてもよい。図９は、この場合にサーバ１０７に保持されている機能情報１２１Ａの一例を示す図である。
【００８３】
機能情報１２１Ａは、ユーザを一意に特定するためのユーザＩＤと、当該ユーザが有するシステムを一意に特定するためのシステムＩＤとの組毎に、システムが対応している機能を示す。なお、ここでは、ユーザが複数のシステムを有する場合を想定し、ユーザＩＤ及びシステムＩＤが用いられているが、ユーザが有するシステムを特定できる情報であればよく、この形態に限らない。
【００８４】
また、機能情報１２１Ａは、ユーザにより再生装置１０１を介して、サーバ１０７に予め登録される。例えば、ユーザは、ユーザＩＤ、システムＩＤ及び当該システムが対応している機能をサーバ１０７に予め登録する。または、ユーザは、ユーザＩＤ、システムＩＤ及び当該システムに含まれる複数の機器の情報（例えば品番）をサーバ１０７に予め登録し、サーバ１０７が、例えば、図６に示す機能情報１２１等を用いて、当該システムが対応する機能を判別し、機能情報１２１Ａを作成してもよい。
【００８５】
また、過去の履歴情報を用いて、機能情報１２１Ａが生成されてもよい。例えば、当該システムで、対象機能が過去に使用された場合に、当該システムが対象機能を実行可能と判定されてもよい。
【００８６】
具体的には、予めテストを実施がされてもよい。例えば、電源が入っている場合に、オプション機能が実施できるかどうかが確認され、その結果がサーバ１０７に保管される。この確認は、ユーザにより行われてもよいし、自動的に行われてもよい。また、再生装置１０１は、ＢＤ−Ｊでサーバ１０７に接続し、動作を確認してもよい。
【００８７】
また、ユーザへの当該システムが対象機能に対応しているかの確認方法としては、後述する実施の形態２の手法を用いてもよい。また、上記の複数の手法を組み合わせて用いてもよい。
【００８８】
図１０は、サーバ１０７を用いた確認方法の変形例の流れを示す図である。図１１は、この場合のサーバ１０７の処理のフローチャートである。
【００８９】
この例では、まず、再生装置１０１は、ユーザＩＤ、システムＩＤ及び機能コードをサーバ１０７に送信する（Ｓ１６１）。サーバ１０７は、ユーザＩＤ及びシステムＩＤで示されるシステムが、機能コードで示される機能に対応しているかを判定し（Ｓ１６２）、判定結果を再生装置１０１へ送信する（Ｓ１６３）。
【００９０】
また、図１１に示すように、まず、サーバ１０７は、再生装置１０１からユーザＩＤ及びシステムＩＤを受信する（Ｓ１７１）。次に、サーバ１０７は、受信したユーザＩＤ及びシステムＩＤがデータベース（機能情報１２１Ａ）に存在するかを判定する（Ｓ１７２）。
【００９１】
受信したユーザＩＤ及びシステムＩＤがデータベースに存在する場合（Ｓ１７２でＹｅｓ）、サーバ１０７は、再生装置１０１に機能コードの送信を要求し（Ｓ１７３）、再生装置１０１から機能コードを受信する（Ｓ１７４）。次に、受信した機能コードに対応する機能がデータベース（機能情報１２１Ａ）に存在するかを判定する（Ｓ１７５）。
【００９２】
受信した機能コードに対応する機能がデータベースに存在する場合（Ｓ１７５でＹｅｓ）、サーバ１０７は、機能情報１２１Ａを参照し、受信したユーザＩＤ及びシステムＩＤのシステムが受信した機能コードに対応するかを判定し（Ｓ１７６）、判定結果を再生装置１０１へ送信する（Ｓ１７７）。
【００９３】
一方、受信したユーザＩＤ及びシステムＩＤの組又は機能コードがデータベースに存在しない場合（Ｓ１７２でＮｏ、又はＳ１７５でＮｏ）、サーバ１０７は、判定が行えなかった旨を再生装置１０１へ送信する（Ｓ１７８）。
【００９４】
以上により、本実施の形態に係る再生システム１００では、ＨＤＭＩ（登録商標）等により各装置がオプション機能に対応しているかを確認できない場合には、サーバ１０７に問い合わせを行うことで、各装置がオプション機能に対応しているかを判定できる。これにより、再生システム１００がオプション機能等に対応しているかをより正確に確認できる。
【００９５】
また、上述したように、オプション機能とは、３Ｄ映像の表示機能、ＨＤＲ機能、又はオーディオコーデックの拡張機能等である。
【００９６】
３Ｄ映像の表示機能に対応していなくても、ラインバイライン或いはサイドバイサイドの映像の表示、又はフレームシーケンシャルの片方のフレームのみを表示することで、ユーザは映像を見ることができることがある。よって、３Ｄ映像の表示に対応しているかどうかについて、ＨＤＭＩ（登録商標）経由で確認できない場合、表示装置１０３の設定を適切に設置することで、ユーザが映像を見ることができるようにすることが好ましい。この判断は、表示装置１０３が入力映像の内容に基づき、自動的に判断する場合もあるが、映像の内容に応じて誤って判断してしまうこともある。一方で本実施の形態の手法を用いることで、各装置が３Ｄ映像の表示に対応しているか否かを正確に判断できるので、上記のような動作をより正確に行うことができる。
【００９７】
また、ＨＤＲでは、映像方式自身は互換性があることが多く、ＨＤＲに対応していない機器でもＨＤＲ信号が受信され、当該ＨＤＲ信号が誤った内容で表示されることがある。標準方式のみであれば、各装置は、ＨＤＭＩ（登録商標）経由で各装置がＨＤＲに対応しているかどうかを判断できるが、オプション機能又は独自拡張機能の場合は、これができない。よって、このような場合に本実施の形態の手法は有効である。
【００９８】
また、オーディオコーデックの基本的なコーデックについては、ＨＤＭＩ（登録商標）でも情報が送られ、各装置は、各装置がどの機能に対応しているかを判断できるが、現在、オーディオコーデックにはさまざまな拡張がなされており、出力側のデコーダで信号をデコードしてみて初めて当該信号に拡張機能が用いられているかが判断できるという場合が多い。まだ、再生側で、オーディオコーデックを変換することも多く、正しく接続でき、再生できるかどうか、また、正しく再生できているかどうかの判断は困難である。よって、このような場合にも本実施の形態の手法は有効である。
【００９９】
（実施の形態２）
本実施の形態では、ＨＤＭＩ（登録商標）等により各装置がオプション機能に対応しているか確認できない場合には、ユーザに問い合わせを行う。なお、以下では、主に実施の形態１との相違点を説明する。
【０１００】
図１２は、本実施の形態に係る再生システム１００の動作を示すフローチャートである。なお、図１２に示す処理は、図３に示す処理に対して、ステップＳ１１８及びＳ１１９がステップＳ１１８Ａ及びＳ１１９Ａに変更されている点が異なる。
【０１０１】
ステップＳ１１４で選択機能を実行可能かを確認できなかった場合（Ｓ１１５でＮｏ）、第２確認部１１２は、ユーザに問い合わせを行うことで、選択機能を実行可能かを確認する（Ｓ１１８Ａ）。例えば、第２確認部１１２は、ユーザへの確認画面を表示し、ユーザによる確認結果の入力を受け付ける。
【０１０２】
図１３は、ユーザへの確認用の画面２０１の一例を示す図である。図１３に示すように、ユーザに、オプション機能を使う場合の設定が必要なことが通知されるとともに、確認ポイントが提示される。具体的には、外部装置（表示装置１０３等）への要求、及び再生装置１０１への設定の要求が表示される。なお、各装置の接続状態への要求が表示されてもよい。また、画面２０１により、オプション機能を使用するかどうかの確認が行われる。
【０１０３】
また、図１２に示すように、ステップＳ１１８Ａにおいて、ユーザにより選択機能を実行できることが入力された場合（Ｓ１１９ＡでＹｅｓ）、選択機能が実行され（Ｓ１１７）、そうでない場合（Ｓ１１９ＡでＮｏ）、ステップＳ１１３に戻る。
【０１０４】
また、図１４は、確認画面の別の例を示す図である。図１４に示す画面２１１のように、まず、選択機能の実行可否の確認に加え、詳細な説明を表示するかがユーザに問い合わされる。画面２１１において「確認」が選択された場合、画面２１２及び画面２１３に示すように、ユーザに選択機能を実行するための各装置の機能及び設定を確認するためのメッセージ、及び、ユーザの装置又はシステムへの理解度を確認するためのメッセージが表示される。
【０１０５】
また、画面２１１、２１２及び２１３のいずれかで「Ｎｏ」が選択された場合には、画面２１４に示すように、選択機能を実行するために必要な設定、及び設定が間違っている場合に起こる状態の説明が表示される。また、上記設定をサポートするための情報が表示される。
【０１０６】
また、ユーザが明示的に再生を許可した場合（画面２１１で「Ｙｅｓ」）、又は、ユーザの理解が十分と判断される場合（画面２１３でＹｅｓ）には、オプション機能を用いた映像の再生が行われる。
【０１０７】
図１５は、確認画面の別の例を示す図である。図１５に示す画面２２１では、テストコンテンツを再生するためのメニューが表示される。ユーザが画面２２１において「テストコンテンツ再生」を選択した場合、画面２２２に示すように再生装置１０１はテストコンテンツを再生する。
【０１０８】
ここでテストコンテンツとは、選択機能が実現されているか否かをユーザが判断するためのコンテンツである。例えば、テストコンテンツとは、選択機能が実現されているか否かに応じて表示される映像又は出力される音声が大きく異なるコンテンツである。なお、テストコンテンツは、選択機能が実現されている場合にはどのような映像が表示される（又は音声が出力される）かを示す情報、及び選択機能が実現されていない場合にはどのような映像が表示される（又は音声が出力される）かを示す情報のうち少なくとも一方を含んでもよい。
【０１０９】
例えば、サラウンド音声であれば、特定のスピーカのみから音が出力されるとともに、音声が出力されているスピーカを示す情報が表示される。
【０１１０】
また、図１５に示すようにテストコンテンツの再生と同時に、選択機能の実行可否をユーザに確認するためのメニューが表示されてもよい。なお、当該メニューはテストコンテンツの再生後に表示されてもよいし、ユーザの操作に応じて表示されてもよい。
【０１１１】
以上により、本実施の形態に係る再生システム１００では、ＨＤＭＩ（登録商標）等により各装置がオプション機能に対応しているかを確認できない場合には、ユーザに問い合わせを行うことで、再生システム１００がオプション機能に対応しているかを判定できる。これにより、再生システム１００がオプション機能等に対応しているかをより正確に確認できる。
【０１１２】
なお、上記説明では、実施の形態１及び実施の形態２において、サーバ１０７に問い合わせを行う方法と、ユーザに問い合わせを行う方法とを個別に説明したが、これらを組み合わせてもよい。例えば、サーバ１０７に問い合わせを行い判定結果を得られない場合に、ユーザに問い合わせを行ってもよい。また、ユーザに問い合わせた結果が、機能情報１２１Ａとしてサーバ１０７に格納されてもよいし、当該結果を用いて機能情報１２１Ａが生成されてもよい。
【０１１３】
以上で説明したように、実施の形態に係る再生システム１００は、映像を再生する再生装置１０１と、再生装置１０１で再生された映像を表示する表示装置１０３とを含むシステムであって、図１６に示す処理を行う。
【０１１４】
まず、再生システム１００（例えば再生装置１０１）は、再生装置１０１及び表示装置１０３が映像の再生におけるオプション機能に対応しているか否かを第１手法により確認する（Ｓ２０１）。例えば、第１手法では、再生装置１０１が、（１）当該再生装置１０１に保持されている情報に基づき、当該再生装置１０１がオプション機能に対応しているか否かを確認し、（２）表示装置１０３に保持されている情報に基づき、表示装置１０３がオプション機能に対応しているか否かを確認する。
【０１１５】
次に、再生システム１００は、第１手法により、再生装置１０１及び表示装置１０３がオプション機能に対応しているか否かを確認できたかを判定する（Ｓ２０２）。第１手法により、再生装置１０１及び表示装置１０３がオプション機能に対応しているか否かを確認できなかった場合（Ｓ２０２でＮｏ）、再生システム１００は、再生装置１０１及び表示装置１０３がオプション機能に対応しているか否かを、第１手法とは異なる第２手法により確認する（Ｓ２０３）。
【０１１６】
例えば、実施の形態２で説明したように、第２手法では、再生装置１０１及び表示装置１０３がオプション機能に対応しているか否かをユーザに確認するための情報を出力する。具体的には、図１５に示すように、第２手法では、再生装置１０１及び表示装置１０３がオプション機能に対応しているか否かをユーザが確認するためのテストコンテンツを再生する。
【０１１７】
または、実施の形態１で説明したように、第２手法では、再生装置１０１が、当該再生装置１０１にネットワークを介して接続されているサーバ１０７に保持されている情報に基づき、再生装置１０１及び表示装置１０３がオプション機能に対応しているか否かを確認する。
【０１１８】
以上、実施の形態に係る再生システムについて説明したが、本開示は、この実施の形態に限定されるものではない。
【０１１９】
また、上記実施の形態に係る再生システムに含まれる各装置に含まれる各処理部は典型的には集積回路であるＬＳＩとして実現される。これらは個別に１チップ化されてもよいし、一部又は全てを含むように１チップ化されてもよい。
【０１２０】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１２１】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２２】
また、本開示は上記プログラムであってもよいし、上記プログラムが記録された非一時的なコンピュータ読み取り可能な記録媒体であってもよい。また、上記プログラムは、インターネット等の伝送媒体を介して流通させることができるのは言うまでもない。
【０１２３】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１２４】
また、上記フローチャート等に示す各ステップが実行される順序は、本開示を具体的に説明するために例示するためのものであり、上記以外の順序であってもよい。また、上記ステップの一部が、他のステップと同時（並列）に実行されてもよい。
【０１２５】
以上、一つまたは複数の態様に係る再生システムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１２６】
本開示は、ＢＤレコーダ等の再生装置とＴＶ等の表示装置とを含む再生システムに適用できる。
【符号の説明】
【０１２７】
１００  再生システム
１０１  再生装置
１０２  音響装置
１０３  表示装置
１０４、１０５  ＨＤＭＩ（登録商標）ケーブル
１０６  ネットワーク
１０７  サーバ
１１１  第１確認部
１１２  第２確認部
１１３  再生部
１１４  制御部
１１５  通信部
１２１、１２１Ａ  機能情報
２０１、２１１、２１２、２１３、２１４、２２１、２２２  画面
【図１】
0006584916.tif 000002
【図２】
0006584916.tif 000003
【図３】
0006584916.tif 000004
【図４】
0006584916.tif 000005
【図５】
0006584916.tif 000006
【図６】
0006584916.tif 000007
【図７】
0006584916.tif 000008
【図８】
0006584916.tif 000009
【図９】
0006584916.tif 000010
【図１０】
0006584916.tif 000011
【図１１】
0006584916.tif 000012
【図１２】
0006584916.tif 000013
【図１３】
0006584916.tif 000014
【図１４】
0006584916.tif 000015
【図１５】
0006584916.tif 000016
【図１６】
0006584916.tif 000017